(57)【要約】      （修正有）【課題】ミリ波通信において、人体に悪影響のある懸念の有るミリ波が不用意に放射されないようにする。【解決手段】プリンタインタフェース４０８は赤外線送信部５０２と赤外線受信部５０３とミリ波送信部５０４とミリ波受信部５０５と制御部５０１で構成され、ミリ波による通信に先立って、赤外線送信部５０２からデータを送信し、送信したデータに対して応答が帰ってきたか否かにより通信路の障害物を検知する。障害物の存在しない状況下においてミリ波の放射を開始する。【選択図】図５
2015023309.tif 000002
【特許請求の範囲】
【請求項１】
第一の通信手段のよる第一の送信手段（５０２）と、
第一の通信手段のよる第一の受信手段（５０３）と、
第二の通信手段のよる第二の送信手段（５０４）と、
第二の通信手段のよる第二の受信手段（５０５）と、
前記第一の通信手段の通信結果（Ｓ６０３）に基づいて、前記第二の送信を行なう第一の送信開始手段（Ｓ６０４）を有することを特徴とする無線通信装置。
【請求項２】
前記第二の通信手段によるデータ通信手段のデータ通信の停止を検出するデータ通信停止検出手段（Ｓ７０１）と、前記第一の通信手段の第２の通信結果（Ｓ７０３）に基づいて、第二のデータ通信を再開するデータ送信再開手段（Ｓ７０５）を有する請求項１に記載の無線通信装置。
【発明の詳細な説明】
【技術分野】
【０００１】
本発明は、無線によるデータ通信、特にミリ波等の高エネルギーの電磁波によるデータ通信に関するものである。
【背景技術】
【０００２】
近年では装置と装置の接続を行なうに当たっては、ケーブル接続による煩わしさが指摘されており無線化される事例が増加している。しかしながら従来から利用されている無線通信技術には、赤外線や、狭帯域の電磁波を利用した物が主流であり、比較的低レートのデータ通信しか行う事ができなかった。
【０００３】
そこで電磁波の周波数帯が６０ＧＨｚとういう高い周波数の電磁波の利用が進もうとしている。これによりデータレートの飛躍的向上が期待されている。
【０００４】
しかしながらミリ波には電磁的なエネルギーが高いという特徴がある。こういった高エネルギーの電磁波が人体に対して有害ではないかと言う指摘もあり、利用促進にあたっての障害になっている。
【０００５】
そこで特許文献１では、アンテナ周囲に人体が存在しない事を確認して、存在した場合には、放射方向を変更する事で、人体への電波の影響を低減している。
【先行技術文献】
【特許文献】
【０００６】
【特許文献１】特開２００５−２８６６２７号公報
【発明の概要】
【発明が解決しようとする課題】
【０００７】
特許文献１では、送信端に人体が存在した場合には、検出可能であるが、受信端の人体は検出できない可能性がある。
【課題を解決するための手段】
【０００８】
第一の通信手段のよる第一の送信手段（５０２）。第一の通信手段のよる第一の受信手段（５０３）。第二の通信手段のよる第二の送信手段（５０４）。第二の通信手段のよる第二の受信手段（５０５）。前記第一の通信手段の通信結果（Ｓ６０３）に基づいて、前記第二の送信を行なう第一の送信開始手段（Ｓ６０４）により構成される。
【発明の効果】
【０００９】
人体に対して有害ではないかと言う指摘もある電磁的なエネルギーが高いミリ波を利用することが可能になった。これにより高レート無線データ通信の利用の促進が期待される。
【図面の簡単な説明】
【００１０】
【図１】本発明の一実施例の形態を模式的に示した図である。
【図２】本発明の一実施例であるＭＦＰのイメージリーダ部のプリンタの構造を示す断面図である。
【図３】本発明の一実施例であるＭＦＰのイメージリーダ部のプリンタの構造を示す断面図である。
【図４】本発明の一実施例であるＭＦＰの制御構成を説明するブロック図である。
【図５】本発明の一実施例であるＭＦＰのプリンタインターフェース４０８の詳細のブロック図である。
【図６】本発明の一実施例であるＭＦＰの動作の概要を示すフローチャートであり、コピー動作を開始する時の説明である。
【図７】本発明の一実施例であるＭＦＰの動作の概要を示すフローチャートであり、動作中に通信が停止した場合の、再開時の説明である。
【発明を実施するための形態】
【００１１】
第１図は本発明の好適な実施例の全体を模式的に示す図であり、本発明を適用可能な複合型印刷機（ＭＦＰ）の構成である。このＭＦＰは、イメージリーダー部１０１とプリンター部１０２が別体となっており、後述のミリ波インターフェースによってデータ交信可能な様に構成されている。
【００１２】
図２はイメージリーダ部の構造を模式的に示した図で、断面を示すものである。
２０１はイメージリーダ本体である。本入力部は上部に硝子等の透明材料で制作されている原稿台２０２があり、その上部に置かれた原稿２１６を押さえられる様に原稿押さえ２０３がある。
【００１３】
２０３は蝶番２０４によって２０１と分離できないが可動にされ、原稿を原稿台に載せた後２０３によって抑えることが可能な様に構成される。図において原稿２１６は説明上浮いているように記載されているが、実際には原稿台２０２に密着させ置かれる。原稿台２０２に置かれた原稿２１６の表面にある画像は、反射ミラー２０９、２１０、２１２によって、反射させられ２１５の点線で示される経路に従ってＣＣＤ  ２０７に伝えられる。
【００１４】
また２１４はレンズであり原稿表面のイメージをＣＣＤ上に結像することができる。ＣＣＤでは一度に１ライン分の画像を読み取ることがき、ここで受光された画像はプリント回路基板２０６上に形成されている画像処理部でデジタルデータに変換され、インターフェースコネクタ２０５に接続されたプリンタ等の装置に伝達される。
【００１５】
ここで反射ミラー２０９と２１０は不図示の駆動モータにギアを介して接続され読み取り原稿の副走査方向に直線移動可能な様に構成された第１可動部２０８に固定されている。また反射ミラー２１２はキセノンランプ等の光源２１３と共に第２可動部２１１に固定されている。第２可動部もまた前記駆動モータに前記とは別のギアを介して接続されていて第１可動部と同様に副走査方向に直線移動が可能なように構成される。ここで第１可動部２０８の移動速度は適切なギヤ構成によって第２可動部２１２の移動速度の半分に設定され光経路２１５の距離が一定に保たれるように構成されている。
【００１６】
第１可動部と第２可動部は共に一つのラインを読み取った後移動し、連続したラインを次々に読み取ることによって１枚の原稿を読み取ることができる。
【００１７】
図３はプリントエンジンの断面を模式的に示している。本実施例のプリンタは電子写真方式を採用している。又本プリントエンジンはカラーの各色ごとに感光ドラムが用意されている４連タンデム方式が採用されていて、前述の様にＹＭＣＫの基本色とそれらを組み合わせた多様な色印刷が可能な様に構成されている。各部について説明する。３０２〜３０５はトナーカートリッジである。後述の感光ドラム（３１１〜３１４）及び不図示のトナー収容部分・廃トナー収容部が一体化されたものであり、本体より脱着可能な様な構造になっている。３０６〜３０９はリーダユニットである。
【００１８】
コントローラ４２０からの画像形成信号はスキャナーユニットに入り、内部にある不図示のレーザーダイオードの出力強度を変調させる。これによりレーザーダイオードから発せられるレーザー光線の強弱に置き換えられる。発せられたレーザー光線は、不図示のスキャニングミラーおよびｆ−θレンズ等の光学系により各感光ドラム（３１１〜３１４）に対して、軌跡３１９を通過し表面上を一方の端から他方の端へと走査される。３１１〜３１４は感光ドラムである。感光ドラムは不図示の回転機構により回転させられており、走査されたレーザー光線は感光ドラム上に順次潜像を形成してゆく。さらにトナーを吸着させることにより画像が現像され、各色の像が形成される。
【００１９】
３１５は用紙搬送ベルトであり、ローラー３１６及びローラー３１７によって移動させられる。このとき給紙ユニットからの用紙が搬送ベルト３１５上に供給されると、搬送ベルト３１５の移動に伴って、用紙自体も搬送ベルト３１５と共に移動して各色の感光ドラム（３１１〜３１４）に到達する。各感光ドラムに到着すると各感光ドラムに付着したトナーが用紙に転写される構造になっており、紙上にトナーによる画像が形成される。用紙が最上部に到達すると、不図示の定着ユニットによって用紙上にトナーが定着する。
【００２０】
３１８は排紙ローラーであり。回転運動させることで、上端に達した印刷済み用紙を外部に出力する。
【００２１】
４２０は用紙カセットである。印刷対象となる紙が複数枚積み重なり収容されている。又不図示の給紙機構により１枚１枚取り出されて後述の用紙搬送ベルト３１５に供給される。又全体を制御する機能を有するコントローラ４１８も、図４上では不図示であるが内蔵されている。
【００２２】
図４は本発明の実施例を示す複合型印刷装置のシステム構成を説明するブロック図である。図４の上半分は図２のプリント回路基板２０６上に構成された電気回路についての構成を示すブロック図である。また下半分はプリンタ部の１０２内の制御機能についての構成である。この図について説明する。４０１はＣＰＵであり、ＲＯＭ４０２内部に格納されたプログラムによって画像入力部の全体を制御したり、ＣＣＤ２０７から読み取られた画像データを処理したり、プリンタとのインターフェースを制御したりする働きをする。また後述のＰＩＦ４０８を制御する事で本発明に関わる下記の制御を行う。
（１）赤外線通信機能を使用して、プリンタ１０２に対してデータを送信する。
（２）赤外線通信機能を使用して、プリンタ１０２からデータを受信する。
（３）ミリ波通信機能を使用して、プリンタ１０２に対してデータを送信する。
（４）ミリ波通信機能を使用して、プリンタ１０２からデータを受信する。
（５）赤外線通信による成功したか否かを判定し、その結果に基づいてミリ波通信機能による通信を開始する。
【００２３】
４０３はプログラム実行時のワーク領域や読み込み済み画像データ、処理中間データ、出力データを記憶させておくＲＡＭである。４０４はプログラムの読み出しやデータの読み書きを行なうシステムバスである。４０５はＣＣＤと読み込んだ輝度データをプリンタに印刷可能な濃度データに変換したり、多階調で入力された画像データをプリンタで処理可能なディザデータに変換したりする画像処理部である。４０６は可動部２０８及び可動部２１１を移動させるモーターを制御するためのモーターコントローラである。４０７は、操作者がコピーやスキャン動作開始の指示や、各種設定を行なう操作パネルである。４０８は、プリンタとのインターフェースを取るためのプリンターインターフェース部であり、ＣＰＵ４０１、ＲＯＭ４０２の制御の元にプリンター１０２に読み取りデータを転送する。
【００２４】
プリンタ１０２側の機能について解説する。５２０はプリンターコントローラ全体を示している。４０８はプリンタＣＰＵで、ＢＩＯＳＲＯＭ４１０およびＨＤＤ５２４に記憶された制御プログラムに基づいてシステムバス４１３に接続される各種のデバイスとのアクセスを総括的に制御する。もしくは外部メモリ４２３に記憶された制御プログラム等に基づいて制御を行っても良い。
【００２５】
またＣＰＵ４０８は、ＢＩＯＳＲＯＭ４１０、ＩＰＬＲＯＭ４１１及びＨＤＤ４２４に記憶されているプログラムに基づいて、本発明に関わる下記の制御を行う。
（１）赤外線通信機能を使用して、イメージリーダ１０１に対してデータを送信する。
（２）赤外線通信機能を使用して、イメージリーダ１０１からデータを受信する。
（３）ミリ波通信機能を使用して、イメージリーダ１０１に対してデータを送信する。
（４）ミリ波通信機能を使用して、イメージリーダ１０１からデータを受信する。
（５）赤外線通信による成功したか否かを判定し、その結果に基づいてミリ波通信機能による通信を開始する。
【００２６】
４０９はＣＰＵ４０８の主メモリ、ワークエリア等として機能するＲＡＭで、図示しない増設ポートに接続されるオプションＲＡＭによりメモリ容量を拡張することができるように構成されている。なお、ＲＡＭ４０９は、イメージリーダ１０１からの入力画像データ、プリンタ動作時の出力情報展開領域、環境データ格納領域、ＮＶＲＡＭ等に用いられる。上記の制御により印刷部インタフェース４１５を介して接続される印刷部（プリントエンジン）４２１に出力情報としての画像信号を出力する。ＢＩＯＳＲＯＭ４１０にあるＢＩＯＳ（Ｂａｓｉｃ  Ｉｎｐｕｔ  Ｏｕｔｐｕｔ  Ｓｙｓｔｅｍ）ＲＯＭには、主にＩ／Ｏの初期化や入出力の基本的な制御を行う制御プログラム等を記憶する。
【００２７】
４１１は、ＩＰＬ（Ｉｎｉｔｉａｌ  Ｐｒｏｇｒａｍ  Ｌｏａｄｅｒ）ＲＯＭである。ＨＤＤ５２４に記憶されているプログラムをＲＡＭ４０９上に読み出し、制御を移す機能がある。４１２は、リアルタイムクロックである。時間を計測し記憶しておく機能を持つ。
【００２８】
４１３は、システムＢＵＳである。
【００２９】
４１４はイメージリーダインターフェースである。ミリ波により無線通信を行い、イメージリーダからの入力画像データを受信したり、イメージリーダに対して制御情報を送信したりする。また本発明の適用である赤外線インターフェースを併せ持つ。ＭＣ４１６は外部メモリ４２２を制御するメモリーコントローラーである。外部メモリ４２２、オプションとして接続され、フォントデ−タ、エミュレ−ションプログラム、フォームデータ等を記憶する。さらに読書きが可能な様に構成されている。また、前述した外部メモリは１個に限らず、少なくとも１個以上備え、内蔵フォントに加えてオプションフォントカード，言語系の異なるプリンタ制御言語を解釈するプログラムを格納した外部メモリを複数接続できるように構成されていても良い。４２３はＨＤＤであり、ＣＰＵ４０８が実行するプログラム、リーダ部１０１からの画像データ、不図示のパーソナルコンピュータからの印刷データ、各種制御情報、及びデータファイル等を記憶する事が出来る。データファイルはＣＰＵ４０８及びＨＤＤ４２３に内蔵されているプログラムによって、他のＰＣや他のＭＦＰからも読み出し可能な様に、構成されている。
【００３０】
４１７はＨＤＤインターフェースである。ＨＤＤ５２４に対してデータの書き込みや読み出しの制御を行う事が出来る。
【００３１】
ＣＰＵ４０８は、ＮＩＣ  Ｉ／Ｆ４１９を利用してＮＩＣ４２４を制御可能に構成されている。
【００３２】
ＮＩＣ  Ｉ／Ｆ４１９からの出力信号はＮＩＣ４２４を経由してネットワーク４２５にネットワークに接続可能なように構成され、他の複写装置やプリンタ、ホストコンピュータとの通信処理が可能となっている。ＮＩＣ４２４はＮＩＣインターフェースカードであり、ネットワーク４２５と接続するための物理層及び低レベルの通信プロトコルを処理する機能を持つ。
【００３３】
図５は、プリンターインターフェース４０８の詳細を示したブロック図である。５０１は制御部である、プリンターインターフェース全体の制御を行なう。また赤外線通信・ミリ波通信の物理層及び低レベルの通信プロトコルを処理する機能を有する。さらにＣＰＵ４０１とのインターフェースを司る。５０２は赤外線送信部である。赤外線を使用してデータ送信を行なう。５０３は赤外線受信部である。プリンタ１０２からの赤外線データを受信する事ができる。５０４はミリ波送信部である。ミリ波を使用してデータ送信を行なう。５０５はミリ波受信部である。プリンタ１０２からのミリ波データを受信する事ができる。
【００３４】
尚、４１４のイメージリーダインターフェースも同様の構成となっており、１０１と１０２の間で、赤外線及びミリ波を利用したデータ通信を行なう事が可能になっている。
【００３５】
図６は、実施例の動作の概要を説明するフローチャートである。特に通信を開始する場合の手順について解説する。
【００３６】
ステップＳ６０１では、操作者が操作部４０７のコピー開始を指示するボタンを押下する事でコピー動作を開始させる。
【００３７】
ステップＳ６０２では、ＣＰＵ４０１がＰＩＦ４０８を制御して赤外線によるデータ通信を開始する。このデータは比較的低速でも構わない制御情報の送信を行なう。
ステップＳ６０３では、送信したデータに対して応答が帰ってきたか否かを判定する。応答が帰ってこない場合には、終了する。応答が帰って来た場合には、通信路に障害物が存在しないと判断する。
【００３８】
ステップＳ６０４では、ミリ波による通信を開始する。ここには高速でデータ送信することが必要な画像データ等を送信する。
【００３９】
以上が本実施例で通信を開始する場合の手順である。
【００４０】
図７は、実施例の別の動作の概要を説明するフローチャートである。特に通信を実行している途中で、通信断が発生した場合の再開する場合の手順について解説する。
ステップＳ７０１では、ミリ波による通信途中で通信断が発生した事を検出する。それまで通信が行なわれていた事から、突発的な障害であって、直ぐに解消される可能性が高い。
【００４１】
ステップＳ７０２では、ＣＰＵ４０１がＰＩＦ４０８を制御して赤外線によるデータ通信を開始する。このデータは比較的低速でも構わない制御情報の送信を行なう。
【００４２】
ステップＳ７０３では、送信したデータに対して応答が帰ってきたか否かを判定する。応答が帰ってこない場合には、終了する。応答が帰って来た場合には、通信路に障害物が存在しないと判断する。
【００４３】
ステップＳ７０４では、一定時間待機する。
【００４４】
ステップＳ７０５では、ミリ波による通信を再開する。ここには高速でデータ送信することが必要な画像データ等を送信する。
【００４５】
以上が本実施例で通信を開始する場合の手順である。
【符号の説明】
【００４６】
１０１・・・リーダー
１０２・・・プリンター
４０８・・・プリンターインターフェース
４１４・・・リーダーインターフェース
【図１】
2015023309.tif 000003
【図２】
2015023309.tif 000004
【図３】
2015023309.tif 000005
【図４】
2015023309.tif 000006
【図５】
2015023309.tif 000007
【図６】
2015023309.tif 000008
【図７】
2015023309.tif 000009